(57)【要約】      （修正有）【課題】軽みぞ形鋼材の罫書き位置に懸吊ボルトの軸芯を合せる作業が容易になり、照明器具を正確な位置に取り付けることができる照明器具支持金具を提供する。【解決手段】金具本体１０に、軽みぞ形鋼の上端面に係止せしめる側面鉤形状の係止部１１を設ける。金具本体１０に、係止部１１から鉛直下方に延長され軽みぞ形鋼の溝のない側面に重合せしめる重合片１２を設ける。金具本体１０に、重合片１２の下端部に設けられ懸吊ボルト２０をネジ止めする懸吊部１３を設ける。重合片１２に覗き孔１５を開穿して該覗き孔１５から軽みぞ形鋼の溝のない側面に印された罫書きが見えるように構成する。覗き孔１５の中心部が懸吊部１３にネジ止めした懸吊ボルト２０の軸心の鉛直上方の位置に当たるように形成する。【選択図】図１
0003168365.tif 000002
【実用新案登録請求の範囲】
【請求項１】
野縁受け材上に軽みぞ形鋼を設置し、該軽みぞ形鋼に照明器具を吊下げる照明器具支持金具において、照明器具の上部に連結され該照明器具を懸吊せしめる全ネジボルト状の懸吊ボルトと、該懸吊ボルトの上端部にねじ止めされた状態で軽みぞ形鋼に係止する金具本体とで構成され、該金具本体は、軽みぞ形鋼の上端面に係止せしめる側面鉤形状の係止部と、該係止部から鉛直下方に延長され軽みぞ形鋼の溝が形成されていない側面に重合せしめる重合片と、該重合片の下端部に設けられ懸吊ボルトをネジ止めする懸吊部とを備え、重合片に覗き孔を開穿して該覗き孔から軽みぞ形鋼の側面に印された罫書きが見えるように構成し、該覗き孔の中心部が懸吊部にネジ止めした懸吊ボルトの軸心の鉛直上方の位置に当たるように形成したことを特徴とする照明器具支持金具。
【請求項２】
前記覗き孔の上下位置又は左右位置若しくはその両方の位置に、該覗き孔の中心部を示す中心線を設けた請求項１記載の照明器具支持金具。
【請求項３】
前記覗き孔は、円形状、又は菱形形状、又は長孔状に形成された請求項１記載の照明器具支持金具。
【考案の詳細な説明】
【技術分野】
【０００１】
この考案は、二重天井の野縁受け材上に設置した軽みぞ形鋼に、蛍光灯などの照明器具を吊下げる際に使用する照明器具支持金具に係り、特に、照明器具を正確な位置に取り付けることができる照明器具支持金具に関する。
【背景技術】
【０００２】
照明器具を吊下げる支持金具は、例えば特許文献１や特許文献２に記載の如く、当出願人から種々の提案がなされている。これら従来の支持金具は、いずれも野縁受け材上に支持バーを設置し、この支持バーに照明器具を吊下げる構造である。
【０００３】
一方、現在では、野縁受け材上に軽みぞ形鋼を設置し、この軽みぞ形鋼に照明器具を吊下げる施工法が多くなっている。この施工法では、図５（イ）に示す如く、軽みぞ形鋼Ｐに照明器具の取り付けピッチの位置にペンなどで罫書きＴを印し、同図（ロ）に示す如く、この罫書きＴに合せて支持金具１００を吊下げる作業になる。
【先行技術文献】
【特許文献】
【０００４】
【特許文献１】実用新案登録第３０１３２７０号公報
【特許文献２】実公平６-４４８７号公報
【考案の概要】
【考案が解決しようとする課題】
【０００５】
ところが、軽みぞ形鋼材に印す罫書きの位置は、照明器具を吊下げる懸吊ボルトの軸芯に合せており、この懸吊ボルトに連結した支持金具を軽みぞ形鋼材に係止すると、図５（ロ）に示す如く、支持金具１００が軽みぞ形鋼Ｐに印された罫書きＴを覆ってしまう不都合があった。そのため、従来では支持金具１００で覆われた罫書きＴに懸吊ボルトの軸芯を合せる作業が困難になっており、支持金具１００の取り付け位置がずれたり、照明器具が取り付けできなくなったりするおそれがあった。
【０００６】
そこで本考案は、上述の課題を解消すべく案出されたもので、軽みぞ形鋼材の罫書き位置に懸吊ボルトの軸芯を合せる作業が容易になり、照明器具を正確な位置に取り付けることができる照明器具支持金具の提供を目的とする。
【課題を解決するための手段】
【０００７】
上述の目的を達成すべく、本考案の第１の手段は、野縁受け材Ｑ上に軽みぞ形鋼Ｐを設置し、該軽みぞ形鋼Ｐに照明器具Ｓを吊下げる照明器具支持金具において、照明器具Ｓの上部に連結され該照明器具Ｓを懸吊せしめる全ネジボルト状の懸吊ボルト２０と、該懸吊ボルト２０の上端部にねじ止めされた状態で軽みぞ形鋼Ｐに係止する金具本体１０とで構成され、
該金具本体１０は、軽みぞ形鋼Ｐの上端面に係止せしめる側面鉤形状の係止部１１と、該係止部１１から鉛直下方に延長され軽みぞ形鋼Ｐの溝Ｐ１が形成されていない側面に重合せしめる重合片１２と、該重合片１２の下端部に設けられ懸吊ボルト２０をネジ止めする懸吊部１３とを備え、
重合片１２に覗き孔１５を開穿して該覗き孔１５から軽みぞ形鋼Ｐの側面に印された罫書きＴが見えるように構成し、
該覗き孔１５の中心部が懸吊部１３にネジ止めした懸吊ボルト２０の軸心の鉛直上方の位置に当たるように形成したことにある。
【０００８】
第２の手段は、前記覗き孔１５の上下位置又は左右位置若しくはその両方の位置に、該覗き孔１５の中心部を示す中心線１６を設けたものである。
【０００９】
第３の手段の前記覗き孔１５は、円形状、又は菱形形状、又は長孔状に形成されたものである。
【考案の効果】
【００１０】
本考案の請求項１に記載のごとく、重合片１２に覗き孔１５を開穿して該覗き孔１５から軽みぞ形鋼Ｐの溝Ｐ１が形成されていない側面に印された罫書きＴが見えるように構成し、該覗き孔１５の中心部が懸吊部１３にネジ止めした懸吊ボルト２０の軸心の鉛直上方の位置に当たるように形成したことで、軽みぞ形鋼材の罫書き位置に懸吊ボルトの軸芯を合せる作業が容易になり、照明器具の取り付け位置を正確にすることができる。
【００１１】
請求項２のように、覗き孔１５の上下位置や左右の位置に、該覗き孔１５の中心を示す中心線１６を設けることで、罫書きＴの位置に合わせる作業をより正確に行うことが可能になる。
【００１２】
また、請求項３の如く、覗き孔１５の形状を変えることも可能であり、罫書きＴが見える覗き孔１５であれば、覗き孔１５の形状や中心線１６の有無は自由に選択することが可能である。
【図面の簡単な説明】
【００１３】
【図１】本考案の一実施例を示す斜視図である。
【図２】本考案の使用状態を示す一部切り欠き斜視図である。
【図３】（イ）、（ロ）は、本考案の施工状態を示す正面図である。
【図４】（イ）、（ロ）、（ハ）は、本考案の他の覗き孔を示す正面図である。
【図５】（イ）、（ロ）は、従来の施工状態を示す正面図である。
【考案を実施するための形態】
【００１４】
本考案によると、軽みぞ形鋼材の罫書き位置に懸吊ボルトの軸芯を合せる作業が容易になり、照明器具の取り付け位置を正確にすることが可能になるものである。
【実施例】
【００１５】
以下、本考案を図示例に基づいて説明する。本考案支持金具は、野縁受け材Ｑ上に軽みぞ形鋼Ｐを設置し、該軽みぞ形鋼Ｐに照明器具Ｓを吊下げる際に使用するものである（図２参照）。本考案の基本構成は、軽みぞ形鋼Ｐに係止する金具本体１０と、照明器具Ｓを懸吊せしめる全ネジボルト状の懸吊ボルト２０とで構成される（図１参照）。
【００１６】
金具本体１０は、帯状の金属板を屈曲して形成したもので、図示例では、係止部１１、重合片１２、懸吊部１３、係合部１４を形成している（図１参照）。
【００１７】
係止部１１は、軽みぞ形鋼Ｐの上端面に係止せしめる部材で、側面鉤形状を成している。更に、この係止部１１から鉛直下方に延長され、軽みぞ形鋼Ｐの溝Ｐ１が形成されていない側面に重合せしめる重合片１２が形成されている（図１参照）。すなわち、軽みぞ形鋼Ｐには、溝Ｐ１が形成されている側面と、溝Ｐ１が形成されていない側面とがあり、照明器具Ｓの位置を示す罫書きＴは、溝Ｐ１が形成されていない側面に印される。重合片１２も、この溝Ｐ１が形成されていない側面に重合する。また、重合片１２の下端部に懸吊部１３が設けられている。この懸吊部１３は吊ボルト２０をネジ止めする部材である。
【００１８】
図示例では、重合片１２の長手方向に沿って係止部１１と懸吊部１３とに至る補強ビード１７を一対形成してあり、これら係止部１１、重合片１２、懸吊部１３の強度を高めている（図１参照）。更に、懸吊部１３の先端から上方へ係合部１４を屈曲延長し、この係合部１４を、軽みぞ形鋼Ｐの溝Ｐ１に係合せしめるように構成している。
【００１９】
重合片１２に覗き孔１５を開穿する。この覗き孔１５は、図３（イ）に示す如く、軽みぞ形鋼Ｐの側面に印された罫書きＴに、重合片１２を重ねたときに覗き孔１５から見えるように形成している（同図（ロ）参照）。すなわち、この覗き孔１５は、懸吊部１３にネジ止めした懸吊ボルト２０の鉛直上方の位置に開穿されており、この覗き孔１５の中心部が懸吊ボルト２０の軸心を延長した仮想線上に当たるように形成したものである。同図（ロ）に示す覗き孔１５は、覗き孔１５の上下位置に、覗き孔１５の中心部を示す中心線１６を設けたものである。この中心線１６を、予め軽みぞ形鋼Ｐに印した罫書きＴに重ねて金具本体１０を軽みぞ形鋼Ｐに係止すると、照明器具Ｓを正確な位置に吊り下げることができる。
【００２０】
この中心線１６は、図４（イ）に示すように、覗き孔１５の上下位置と左右位置とに設けても良い。また、覗き孔１５の形状も任意に変更することができる。例えば、同図（ロ）に示す覗き孔１５の如く、対向する一対の角部が上下方向を向き、この角部を中心線１６とした菱形形状のもの、あるいは同図（ハ）に示すように、覗き孔１５を楕円状や長孔状に形成してもよい。更に、中心線１６は、このような形状の覗き孔１５の上下や左右、斜めでもよく、若しくはそれらの全ての位置に設けることも可能である。このように、中心線１６は覗き孔の中心部を示すものであればどのような位置でもよく、中心線１６の太さや形状等は任意に変更することができる。
【００２１】
懸吊ボルト２０は、照明器具Ｓの上部に連結され該照明器具Ｓを懸吊せしめる全ネジボルトで形成されている。この懸吊ボルト２０の軸心部の位置を、軽みぞ形鋼Ｐに印した罫書きＴの位置に合わせて懸吊することで、照明器具Ｓを正確な位置に取り付けることができるものである。図示の懸吊ボルト２０は、照明器具Ｓの内部にナット２１と座金２２を配して懸吊ボルト２０に連結している。また、懸吊ボルト２０と照明器具Ｓとの連結手段は図示例に限られるものではない。
【００２２】
尚、金具本体１０の形状は図示例に限られるものではなく、係止部１１、重合片１２、懸吊部１３の形状の変更や、係合部１４および補強ビード１７の有無や形状等は任意に変更することができる。
【産業上の利用可能性】
【００２３】
本考案において、懸吊ボルト２０で吊下げる部材は照明器具Ｓに限られるものではなく、懸吊ボルト２０にて連結可能な器具類にも利用することができる。
【符号の説明】
【００２４】
Ｐ  軽みぞ形鋼
Ｐ１  溝
Ｑ  野縁受け材
Ｓ  照明器具
Ｔ  罫書き
１０  金具本体
１１  係止部
１２  重合片
１３  懸吊部
１４  係合部
１５  覗き孔
１６  中心線
１７  補強ビード
２０  懸吊ボルト
２１  ナット
２２  座金
１００  従来の支持金具
【図１】
0003168365.tif 000003
【図２】
0003168365.tif 000004
【図３】
0003168365.tif 000005
【図４】
0003168365.tif 000006
【図５】
0003168365.tif 000007